(57)【要約】  調整可能な電圧定在波比を有する電力増幅器（１０）は、出力信号を発生する増幅器ユニット（１６）と、出力信号の入射電力と、出力信号に基づく結合反射電力とを得るように構成されたカプラ１８と、カプラ（１８）及び増幅器ユニット（１６）に結合された電力制御ユニット（２０）とを備える。電力制御ユニット（２０）はカプラにより得られた電力に応じて増幅部を制御するように構成され、電力制御ユニット（２０）は入射電力及び反射電力に対応する作動変数を提供するように構成された２つの電力検出器（２２，２４）を備える。電力制御ユニット（２０）は作動変数を可変的に重み付けする２つのデジタル電位差計（２６，２８）を備え、電力制御ユニット（２０）は、電圧定在波比の設定値に関連する所定の電力レベルが入射電力及び／又は反射電力によって超過されないように作動変数に基づいて増幅器ユニット（１６）の制御変数を決定する。
2019502290.tif 000002
【特許請求の範囲】
【請求項１】
調整可能な電圧定在波比を有する電力増幅器（１０）であって、
出力信号を発生する増幅器ユニット（１６）と、
前記出力信号の入射電力と、前記出力信号に基づく結合反射電力とを得るように構成されたカプラ１８と、
前記カプラ（１８）及び増幅器ユニット（１６）に結合された電力制御ユニット（２０）とを備え、
前記電力制御ユニット（２０）は前記カプラにより得られた電力に応じて前記増幅器ユニット（１６）を制御するように構成され、
前記電力制御ユニット（２０）は、それぞれ入射電力及び反射電力に対応する複数の作動変数を提供するように構成された２つの電力検出器（２２，２４）を備えた電力増幅器（２０）において、
前記電力制御ユニット（２０）は、前記複数の作動変数を可変的に重み付けするように構成された２つのデジタル電位差計（２６，２８）を備え、
前記電力制御ユニット（２０）は、電圧定在波比の設定値に関連する所定の電力レベルが入射電力及び／又は反射電力によって超過されないように、前記複数の作動変数に基づいて前記増幅器ユニット（１６）の制御変数を決定するように構成される、調整可能な電圧定在波比を有する電力増幅器（１０）。
【請求項２】
電圧定在波比の設定値に関連する所定の電力レベルが確実に超過されないようにするために、アナログ電力制限が設けられる請求項１に記載の電力増幅器（１０）。
【請求項３】
前記電力制御ユニット（２０）は、前記増幅器ユニット（１６）のための前記複数の制御変数を提供するために、前記複数の作動変数を合計するように構成される請求項１又は２に記載の電力増幅器（１０）。
【請求項４】
前記電力検出器（２２，２４）は、前記入射電力及び前記反射電力をそれぞれ直接的に電圧に変換するように構成される請求項１〜３のうちのいずれか１つに記載の電力増幅器（１０）。
【請求項５】
前記複数の作動変数の重み付けを調整するために、前記デジタル電位差計（２６，２８）に結合された増幅器制御装置（３０）が設けられる請求項１〜４のうちのいずれか１つに記載の電力増幅器（１０）。
【請求項６】
前記電力制御ユニット（２０）は、帰還線（３６）によって増幅器ユニット（１６）に接続される請求項１〜５のうちのいずれか１つに記載の電力増幅器（１０）。
【請求項７】
前記増幅器ユニット（１６）は、帰還線（３６）を介して駆動される電力前置増幅器（３８）を備える請求項６に記載の電力増幅器（１０）。
【請求項８】
電圧定在波比の値が動作中又は動作前に設定される入力インターフェース（３２）が設けられる請求項１〜７のうちのいずれか１つに記載の電力増幅器（１０）。
【請求項９】
前記電力増幅器（１０）は、異なる電圧定在波比を有する少なくとも２つの異なるモードで動作するように構成される請求項１〜８のうちのいずれか１つに記載の電力増幅器（１０）。
【請求項１０】
請求項１〜９のうちのいずれか１つに記載の電力増幅器（１０）を備える無線周波数電子装置。
【請求項１１】
調整可能な電圧定在波比を有する電力増幅器（１０）を動作させる方法であって、前記方法は、
ａ）カプラ（１８）によって出力信号の入射電力を測定するステップと、
ｂ）コントローラ（１８）によって出力信号の反射電力を測定するステップと、
ｃ）電力制御ユニット（２０）によって測定された電力に対応する作動変数を提供するステップと、
ｄ）前記電力制御ユニット（２０）によって可変的に複数の作動変数を重み付けするステップと、
ｅ）前記電力制御ユニット（２０）によって、電圧定在波比の設定値に関連する所定の電力レベルが、入射電力及び／又は反射電力によって超過されないように、前記複数の作動変数に基づいて増幅器ユニット（１６）の制御変数を決定するステップとを含む、調整可能な電圧定在波比を有する電力増幅器（１０）を動作させる方法。
【請求項１２】
前記電力増幅器（１０）内の減衰要素は前記制御変数によって起動される請求項１１に記載の方法
【請求項１３】
前記複数の作動変数は、前記増幅器ユニット（１６）の制御変数を決定するために合計されることを請求項１１又は１２に記載の方法。
【請求項１４】
前記複数の作動変数は、測定された入射電力及び反射電力を、対応する複数の直接電圧に変換することによって得られる請求項１１〜１３のうちのいずれか１つに記載の方法。
【請求項１５】
前記電圧定在波比の値は、動作中又は動作前に設定される請求項１１〜１４のうちのいずれか１つに記載の方法。
【発明の詳細な説明】
【技術分野】
【０００１】
本発明は、電力増幅器、無線周波数電子装置、及び電力増幅器を動作させるための方法に関する。
【背景技術】
【０００２】
電力増幅器、特に広帯域増幅器は、広範囲の実用的な用途及び周波数に適している。一般に、広帯域増幅器は、電力増幅器に接続された負荷に応じて異なる周波数で異なる電力を放射するために、常に一定の周波数応答を有する。
【０００３】
例えば、アンテナシステムを電力増幅器に接続することができる。アンテナシステムは、一般に信号伝送の特性に影響を及ぼす負荷を表す。典型的には、この影響は、電力増幅器の伝送線路とこれに接続された負荷とのインピーダンスマッチングの尺度である、いわゆる電圧定在波比（ＶＳＷＲ）によって示される。このＶＳＷＲは、出力信号の入射電力及び出力信号に基づく反射電力に関係する。入射電力は、送信電力又は送信電力とも呼ばれる。
【０００４】
電力増幅器が高インピーダンスの不一致に耐えるように設計される場合、電力増幅器は、電力増幅器によって処理されることが予想されるすべての周波数においてロバストでなければならない。
【０００５】
電力増幅器が設計されるＶＳＷＲ値に達すると、入射電力及び／又は反射電力を一定に保つために電力増幅器を制限することが知られる。従って、過負荷は発生しない。例えば、電力増幅器は、ＶＳＷＲ６の保護を有しており、これは、電力増幅器の電力が制限される前に入射電力の最大半分が反射され得ることを意味する。
【０００６】
一般的に、そのような保護は、固定減衰器によって入射電力及び反射電力に重み付けすることによって得られる。例えば、ＶＳＷＲ６保護は、反射電力を入射電力より３ｄＢだけ上げることによって得られる。従って、ＶＳＷＲ６の保護を実現するために、入射電力線における１ｄＢの減衰器及び反射電力線における４ｄＢの減衰器を設けることができる。電力増幅器の対応する電力レベルは、特に許容される最大反射電力である保護レベルの種類に関連する。
【発明の概要】
【発明が解決しようとする課題】
【０００７】
典型的には、完全な公称電力が、例えばＶＳＷＲ値は６である、電力増幅器の最大許容ＶＳＷＲ値で供給されるように増幅器は設計される。従って、電力増幅器は、非常に特殊な場合には、高インピーダンスのミスマッチが存在するので、これらの容量が使用されるだけであるため、より低いインピーダンスのミスマッチで多くの未使用容量を有する。較正のためには、より高い出力が好ましいが、減衰器が固定された減衰値を有するので、電力増幅器の既存の容量は使用することができず、その結果、実際のインピーダンスの不一致（ＶＳＷＲ値）に関係なく、一定の完全公称電力が得られる。
【課題を解決するための手段】
【０００８】
本発明は、電圧定在波比が調整可能な電力増幅器を提供する。当該電力増幅器は、
出力信号を発生する増幅器ユニットと、
前記出力信号の入射電力と前記出力信号に基づく結合反射電力とを得るように構成されたカプラと、
カプラ及び増幅器ユニットに結合された電力制御ユニットとを備え、
前記電力制御ユニットは、前記カプラによって得られた電力に従って前記増幅器ユニットを制御するように構成される。
本発明によれば、電力制御ユニットは、それぞれ入射電力及び反射電力に対応する２つの電力検出器を備え、
電力制御ユニットは、複数の作動変数を可変的に重み付けするように構成される２つのデジタル電位差計を備え、
前記電力制御ユニットは、電圧定在波比の設定値に関連する所定の電力レベルが、入射電力及び／又は反射電力によって超過されないように、前記複数の作動変数に基づいて前記増幅器ユニットの制御変数を決定するように構成される。
【０００９】
本発明はまた、上記のような電力増幅器を備える無線周波数電子装置を提供する。
【００１０】
本発明はさらに、以下のステップを含む、電圧定在波比を調整可能な電力増幅器を動作させる方法を提供する。前記方法は、
コントローラによって出力信号の入射電力を測定するステップと、
コントローラによって出力信号の反射電力を測定するステップと、
電力制御ユニットによって測定された電力に対応する複数の作動変数を提供するステップと、
電力制御ユニットによって複数の作動変数を可変に重み付けするステップと、
電力制御ユニットによって、電圧定在波比の設定値に関連する所定の電力レベルが、入射電力及び／又は反射電力によって超過されないように、複数の作動変数に基づいて増幅器ユニットの制御変数を決定するステップとを含む。
【００１１】
本発明は、増幅器が要求／ニーズに応じて異なるモードで動作できるように、電力信号がデジタル電位差計のために可変に重み付けされ得るという知見に基づいている。例えば、増幅器は、低いＶＳＷＲが予想される場合に高い入射電力を有する較正モードで、もしくは、電力増幅器に一定の負荷が接続されたときにより高いＶＳＷＲを可能にするより低い電力を有する安全モードで動作させることができる。従って、より低いＶＳＷＲで十分であるときに増幅器が別のモードに切り替えられたとき、高いＶＳＷＲ保護を有する増幅器を動作させるために未使用の容量を使用することができる。特定のＶＳＷＲ値を表す動作モードをユーザが選択することができ、又は専用のＶＳＷＲ値をユーザが直接設定することができる。所定の電力レベルに対応するように設定される各モード又はＶＳＷＲ値は、電力増幅器の動作中に入射電力及び／又は反射電力を超えない。
【００１２】
本発明の一態様によれば、電圧定在波比の設定値に関連する所定の電力レベルが確実に超過されないように、アナログ電力制限が設けられる。高速信号が処理されるにつれて、アナログ電力制限は、予め電力信号を検出して解析するマイクロコントローラによって確立される動的電力制限に比べていくつかの利点を有する。アナログ電力制限のため、制限電力レベルは、設定されたＶＳＷＲ値に依存して予め設定される。
【００１３】
好ましくは、電力制御ユニットは、増幅器ユニットのための制御変数を提供するために複数の作動変数を合計するように構成される。これにより、設定されたＶＳＷＲ値に対応する電力レベルが事故電力及び反射電力によって超過されないことが保証される。もし合計が所定の電力レベルを超える場合、増幅器ユニットの電力は制限される。従って、入射電力も反射電力も、設定されたＶＳＷＲ値に関連する所定の電力レベルの対応する部分を超えない。
【００１４】
好ましい実施形態によれば、電力検出器は、入射電力及び反射電力をそれぞれ直接電圧に変換するように構成される。従って、複数の作動値は、電力制御ユニットによって容易に処理することができる直接電圧である。さらに、例えば増幅器ユニットを制御するための制御変数として、直流電圧が好ましい。
【００１５】
さらに、増幅器制御を提供することができ、これは、複数の作動変数の重み付けを容易に調整するために、デジタル電位差計に結合される。デジタル電位差計は、増幅器制御装置によって、特に増幅器制御装置に接続された入力インターフェースによって調整することができ、入力インターフェースは、タッチディスプレイ又は別個の入力装置などの入力装置を含む。このように、複数の作動変数の重み付け比は、電力増幅器の保護レベルを調整するために柔軟に調節可能である。
【００１６】
好ましい実施形態によれば、電力制御ユニットは、帰還線によって増幅器ユニットに接続される。帰還線は、電力制御ユニットと増幅器ユニットとの間で実施されるガルバニック接続である。従って、電力増幅器の動作点及び／又は増幅率を決定するために使用されるアルゴリズムのデジタルアルゴリズムは提供されない。
【００１７】
特に、増幅器ユニットは、帰還線を介して駆動される電力前置増幅器を備える。電力前置増幅器は、増幅器ユニットによって発生される出力信号に依存する直接帰還が可能になるように、帰還線を介して電力制御ユニットによって直接駆動される。
【００１８】
好ましくは、電圧定在波比の値が動作中又は動作前に設定される入力インターフェースが提供される。この入力インターフェースは、電力増幅器に統合されたタッチディスプレイ、又はコンピュータを電力増幅器に接続するためのソフトウェア・インターフェースとすることができる。従って、動作中にＶＳＷＲ値を設定することができる。あるいは、電力増幅器は、動作の前にファームウェアによって構成される。
【００１９】
電力増幅器は、電圧定在波比が異なる少なくとも２つの異なるモードで動作するように構成することができる。従って、電圧定在波比は、温度又は他の動作パラメータの偏差に単に適応されるだけではない。動作モードに関しては、電力増幅器の隠れた予備又は未使用の容量を使用するために、（動作）モードが変更される。
【００２０】
一態様によれば、電力増幅器内の減衰要素は、制御変数によって起動される。これにより、所定の電力レベルが超えられないように、電力増幅器の電力が制限されることが保証される。それに応じて、電力増幅器のアナログ電力制限が確立される。
【００２１】
好ましくは、複数の作動変数は、増幅器ユニットの制御変数を決定するために合計される。従って、入射変数及び反射された電力のいずれも、所定の電力レベルを超えないようにすることができる。
【００２２】
特に、複数の作動変数は、入射電力と反射電力の和が実質的に一定となるように重み付けされる。これにより、設定されたＶＳＷＲ値と対応する電力レベルに関係なく、増幅器の構成要素が保護される。
【００２３】
好ましい実施形態によれば、複数の作動変数は、測定された入射電力及び反射電力を対応する直接電圧に変換することによって得られる。直接電圧は、電力増幅器、特にその電力制御ユニットによって容易に処理することができる。一般に、増幅器ユニットを制御するための制御変数としては、直流電圧が好ましく、特に増幅器ユニット内の減衰素子とすることができる。
【００２４】
好ましくは、電圧定在波比の値は、動作中又は動作前に設定される。ユーザ及び／又は製造者は、電力増幅器のファームウェア更新によって動作前に電圧定在波比を設定することができる。あるいは、ＶＳＷＲ値は、入力インターフェース、特にソフトウェア・インターフェースを介して動作中に設定することができる。例えば、これは、タッチディスプレイ、キーパッド、キー、又はコンピュータが電力増幅器の入力インターフェースに接続されることによって行うことができる。一般に、対応するＶＳＷＲ値を表すある動作モードを選択することができる。あるいは、ＶＳＷＲ値を直接設定することもできる。
【００２５】
本発明を、好ましい実施形態を参照して説明し、それは添付の図面に示される。
【図面の簡単な説明】
【００２６】
【図１】本発明による電力増幅器を概略的に示す。
【図２】本発明による電力増幅器を動作させる方法のフローチャートを示す。
【図３】異なる動作モードにおける本発明による増幅器の出力電力の図を示す。
【発明を実施するための形態】
【００２７】
図１には、高周波電子装置用の電力増幅器１０が概略的に示される。電力増幅器１０は、入口１１及び出口１２を有し、出口１２には例えばアンテナシステムのような負荷１４が接続される。
【００２８】
到来信号は、増幅された出力信号が出口１２を介して負荷１４に出力されるように、電力増幅器１０によって増幅される。従って、電力増幅器１０は、増幅された出力信号を発生する増幅器ユニット１６を備える。出力信号は、負荷１４に送られ、出力信号は部分的に反射することができる。その反射率は、電力増幅器１０、特にその伝送線路と負荷１４とのインピーダンス不整合に依存する。従って、一定量の入射電力が反射されて電力ンプ１０に戻され、この部分を反射電力という。入射電力は、送信電力又は送信される電力とも呼ばれる。
【００２９】
入射電力と反射電力との関係は、典型的には、いわゆる電圧定在波比（ＶＳＷＲ）によって示される。高いＶＳＷＲ値は、高インピーダンス不整合及び高い反射率に関連する。
【００３０】
さらに、電力増幅器１０は、出力信号の入射電力及び出力信号に基づく反射電力を測定するためにカプラ１８を備える。指向性カプラを使用して電力を測定することができる。
【００３１】
これらの測定された信号は、電力増幅器１０、特に電力増幅器１０の電力制御ユニット２０によって処理される。電力制御ユニット２０は、測定された信号、特にそれらの電力に依存して増幅器ユニット１６を制御するために、カプラ１８及び増幅器ユニット１６に接続される。
【００３２】
電力制御ユニット２０は２つの電力検出器２２，２４を備え、２つの電力検出器２２，２４はカプラ１８に関連し、特に、得られた入射電力の信号線と、得られた反射電力の信号線とのそれぞれ関連する。電力検出器２２，２４は、後述するように、電力増幅器１０を制御するための複数の作動変数が提供されるように得られた電力を処理する。複数の作動変数は依然として得られた電力を表す。
【００３３】
さらに、電力制御ユニット２０は、電力検出器２２，２４にそれぞれ接続される２つのデジタル電位差計２６，２８を備える。デジタル電位差計２６，２８は、反射電力及び入射電力が所定の電力レベルを超えないことを確実にするために、取得された複数の作動変数を特定の方法で重み付けするために使用される。このことは、後述するように、電力増幅器１０の電力制限によって実現される。デジタル電位差計２６，２８は可変に調整することができるので、複数の作動変数はデジタル電位差計２６，２８によって重量が可変である。従って、調節可能な電力制限が提供される。
【００３４】
増幅器制御装置３０は、デジタル電位差計２６，２８、特にそれらの重み付け比を制御する。増幅器制御装置３０はまた入力インターフェース３２に接続され、その機能は、動作中の電力増幅器１０の全体的な機能に関して後述される。
【００３５】
さらに、電力制御ユニット２０は加算器３４を備え、加算器３４は両方のデジタル電位差計２６，２８の信号、特に得られた電力を依然として表す加重作動変数を合算する。加算器３４は、ガルバニック接続によって実現される帰還線３６を介して増幅器ユニット１６に直接に接続される。
【００３６】
増幅器ユニット１６は電力前置増幅器３８及び電力主増幅器４０を備え、帰還線３６は増幅器ユニット１６に接続され、特に、減衰素子は増幅器ユニット１６に組み込まれている。図示された実施形態では、帰還線３６は、電力前置増幅器３８に直接に結合される。
【００３７】
以下、図１〜図３を参照して、電力増幅器１０の動作を詳細に説明する。
【００３８】
電力増幅器１０の製造者又はユーザは、最大ＶＳＷＲ値を設定するか、或る最大ＶＳＷＲ値に関連する動作モードを選択することができる。一般に、動作モード又はＶＳＷＲ値は、入力インターフェース３２を介して設定され、入力インターフェース３２タッチディスプレイ又はキーパッドとすることができる。あるいは、入力インターフェース３２は、コンピュータ又は他の処理ユニットに接続され、これは入力デバイスとして使用することができる。従って、入力インターフェース３２は、ソフトウェア・インターフェースであってもよい。さらに、入力インターフェース３２は、例えばＢｌｕｅｔｏｏｔｈ（登録商標）インターフェース、ＮＦＣインターフェース、Ｗｉ−Ｆｉインターフェースなどの無線インターフェースであることが可能である。他の実施形態によれば、入力インターフェース３２は、手動操作可能な制御要素であって、例えば調整ホイールと呼ばれる設定ホイール、電位差計、レギュレータ又はノブ、特に回転ノブである。
【００３９】
動作モード又はＶＳＷＲの値が設定されるとき。ＶＳＷＲ値に関連する所定の電力レベルが同時に設定される。この所定の電力レベルは、動作中に電力増幅器１０によって超過されるべきではなく、特に、出力信号の入射電力及び／又は出力信号に基づく反射電力によって決定される。例えば、電力増幅器１０はＶＳＷＲ６の保護で動作され、４００Ｗの入射電力が許容される。従って、ＶＳＷＲ６の保護により、最大許容反射電力は２００Ｗである。
【００４０】
動作モード又はＶＳＷＲ値を選択することにより、増幅器制御装置３０は、電力検出器２２，２４によって供給される複数の作動変数を重み付けするように、入射電力及び反射電力に関係するデジタル電位差計２６，２８を制御する。既に述べたように、複数の作動値は、電力検出器２２，２４によって供給され、電力検出器２２，２４は測定された電力信号を可変の直流電圧に変換し、それは容易に処理することができる。
【００４１】
一般に、電力増幅器１０は、選択された動作モードで動作中に専用の最大入射電力に達するか、又は設定されたＶＳＷＲ値になるように動作する。図示の実施形態では、ＶＳＷＲ６の保護を使用して動作させたときに、電力増幅器１０は、４００Ｗの入射電力を出力するように設計される。従って、反射電力が約２００Ｗに達しない限り、入射電力は４００Ｗで一定に保たれる。この値に達すると、電力増幅器１０の電力は、反射電力を一定に保ち、電力増幅器１０及びその構成要素を保護するために、低減又は制限される。
【００４２】
このことは、複数の作動変数の重み付けが実行されるときに、その反射電力は、入射電力に対して３ｄＢだけ上げられるようにデジタル電位差計２６，２８の可変制御によって保証される。従って、所定の電力レベルは、設定されたＶＳＷＲ保護に関連する重み付け比のために入射電力又は反射電力を超えない。
【００４３】
図３には、２，４及び６のＶＳＷＲ保護を表す３つの異なる動作モードの入射電力及び反射電力を示す図が示される。
【００４４】
例示的な動作では、ＶＳＷＲ値６が設定される。従って、増幅器制御装置３０は、デジタル電位差計２６，２８を、入射電力が４ｄＢ減衰される一方、反射された電力は１ｄＢだけ減衰され、３ｄＢの差が生じるように制御される。３ｄＢの差は約２の電力比に対応する。
従って、反射電力が入射電力の半分のときに活性化される電力制限が実施される。反射電力が入射電力の５０％になると、電力増幅器１０の出力が制限されることが明らかとなる（ＶＳＷＲ６での反射電力とＶＳＷＲ６での入射電力を表すグラフ６ｒと６ｉを参照ください）。
【００４５】
既に述べたように、この特性は、入射電力より３ｄＢ高い反射電力を重み付けするようにデジタル電位差計２４，２６を制御することで確立される。
【００４６】
反射電力が対応するしきい値に達すると、入射電力と反射電力の和が、設定されたＶＳＷＲ値６に対応する所定の電力レベルを超える。従って、制御変数は、その電力が制限されるように増幅器ユニット１６を制御する。従って、入射電力は低下し、反射電力は、ＶＳＷＲ値が６よりも高くなるように一定に保たれる。
【００４７】
増幅器ユニット１６は、アナログ電力制限が提供されるように、ガルバニック接続である帰還線３６を介して直接制御される。
【００４８】
ユーザが保護レベルとして４のＶＳＷＲ値を設定すると、反射電力（グラフ４ｒ）が最大入射電力の約３６％になるとき（グラフ４ｉ）、電力増幅器１０の出力は制限される。この特性は、入射電力よりも約４．４ｄＢ高い反射電力を重み付けすることによって確立される。対応する電力レベルに達すると、アナログ電力制限が、上述したのと同様の方法で起動される。
【００４９】
ＶＳＷＲ値２については、反射電力（グラフ２ｒ）が最大入射電力の約１１％になるとき（グラフ２ｉ）、電力増幅器１０の出力は制限される。この特性は、入射電力よりも約９．５ｄＢだけ高い反射電力を重み付けすることによって確立される。
【００５０】
一般に、電力増幅器１０は、設定されたＶＳＷＲ値に対応する最大電力で入射電力が一定に保たれるように制御される。反射電力を表す重み付き複数の作動変数が増加し、重み付け値が、設定されたＶＳＷＲ値に対応する所定の電力レベルを超えると、電力増幅器１０のアナログ電力制限が起動される。
【００５１】
そして、電力制御ユニット２０により、帰還線３６を介して増幅器ユニット１６に供給される制御変数が発行される。増幅器ユニット１６内の減衰素子、特に電力前置増幅器３８が、電力増幅器１０の電力を制限して反射電力を一定に保つために作動される（図３を参照してください）。
【００５２】
電力増幅器１０の動作に先立って及び／又はその動作中に異なるＶＳＷＲ値を設定することができるので、専用信号の重み付けを可変的に行うことができる。従って、電力増幅器１０は、異なる動作モードで動作でき、例えば安全モード又は較正モードなどの異なる動作モードに関連する異なる状況の下で異なる電力を出力することができる。
【００５３】
増幅器制御装置３０による電位差計２６，２８のデジタル調整のために、電力増幅器１０の動作中にＶＳＷＲ値を設定することができる。
【００５４】
上述したように、異なる動作モード／異なるＶＳＷＲ設定値が、電力増幅器１０の容量が利用されるように発行されることができる。図３に示すように、電力増幅器は、ＶＳＷＲ値が２で５５０Ｗの入射電力、ＶＳＷＲ値が４で４００Ｗの入射電力、ＶＳＷＲ値が６で約７００Ｗの入射電力を提供することができる。
【００５５】
従って、電力増幅器１０は、動作モード、特に設定されたＶＳＷＲ値のセットに依存して異なる電力出力を有するように構成される。電力制御ユニット２０は、電力増幅器１０の所定の電力レベルは動作中に超過されず、所定の電力レベルは、設定されたＶＳＷＲ値に依存することを確立する。
【００５６】
動作中、電力増幅器１０の電力出力、特に入射電力は、所定の電力レベルが超えられないように、電力制御ユニット２０によって制御される。
【００５７】
さらに、周波数に依存する電力は比較的安定しているので、後続の構成要素、例えばカプラ１８又はコンバイナは、適切に適合させることができ、過剰にする必要はない。従って、より小型で簡単な構成要素を使用することができ、結果として、よりコスト効率の高いシステムが得られる。
【図１】
2019502290.tif 000003
【図２】
2019502290.tif 000004
【図３】
2019502290.tif 000005
【国際調査報告】
2019502290.tif 000006
2019502290.tif 000007
2019502290.tif 000008